(57)【要約】      （修正有）【課題】キャラクタの出入りする動きを楽しめ、スタンドにもなるスマートフォン用のカバーを提供する。【解決手段】スマートフォン１の裏面の少なくとも一部を覆う第１の部分１１を有するカバー１０であって、カバーの第１の部分１１は、板バネ２１を内蔵し、キャラクタ２３が描かれているキャラクタ部２０と、板バネの作用によりキャラクタ部が出没する開口であって、キャラクタ部が入った状態で外縁２６と開口の内縁１８との間に少なくとも０．５ｍｍの隙間が形成される開口１５を含む周辺部１４とを備える。【選択図】図３
0003204703.tif 000002
【実用新案登録請求の範囲】
【請求項１】
スマートフォンの裏面の少なくとも一部を覆う第１の部分を有するカバーであって、
前記第１の部分は、板バネを内蔵し、キャラクタが描かれているキャラクタ部と、
前記板バネの作用により前記キャラクタ部が出没する開口であって、前記キャラクタ部が入った状態で前記キャラクタ部の外縁と当該開口の内縁との間に少なくとも０．５ｍｍの隙間が形成される開口を含む周辺部とを含む、カバー。
【請求項２】
請求項１において、前記キャラクタ部の外縁は、デザインされたキャラクタに沿った形状であり、前記開口の内縁は、前記キャラクタ部の外縁に沿った形状である、カバー。
【請求項３】
請求項１または２において
前記キャラクタ部は、当該カバーの長手方向に長い形状で、長手方向のほぼ中央で前記周辺部と接続されており、
前記キャラクタ部が、前記板バネが伸びて当該キャラクタ部が前記周辺部と一体になった第１の状態と、前記板バネがＵ字型に変形して当該キャラクタ部が前記周辺部から外側に飛び出した第２の状態とに動く、カバー。
【請求項４】
請求項１ないし３のいずれかにおいて、前記キャラクタ部が出た状態で、当該カバーが取付けられたスマートフォンを支持するスタンドとなる、カバー。
【請求項５】
請求項１ないし４のいずれかにおいて、前記隙間は１０ｍｍ以下である、カバー。
【請求項６】
請求項１ないし４のいずれかにおいて、前記隙間は５ｍｍ以下である、カバー。
【考案の詳細な説明】
【技術分野】
【０００１】
本考案は、スマートフォンの裏面を覆うカバーに関するものである。
【背景技術】
【０００２】
特許文献１には、スタンドを収容展開可能とした携帯端末機器の保護カバーを提供することが記載されている。特許文献１の保護カバーは、筐体及び支持ユニットからなり、筐体の一側は携帯端末機器の収容部を設け、他側にスタンドとなる弾性支持板の設置部及び滑動接続部を備える。支持ユニットは、弾性支持板と滑動部品からなり、弾性支持板は筐体の設置部上部に結合する連結部と湾曲した自由段とからなる。滑動部品は、滑動接続部のスライド溝とスライド移動可能に接続し、弾性支持板を押圧して連結部側に移動することにより、湾曲した自由段を展開してスタンドとする。
【先行技術文献】
【特許文献】
【０００３】
【特許文献１】実用新案登録第３１８２１４８号公報
【考案の概要】
【考案が解決しようとする課題】
【０００４】
キャラクタが出入りする動きを楽しむことができ、さらに、スタンドにもなるスマートフォン用のカバーを提供する。
【課題を解決するための手段】
【０００５】
本考案の一態様は、スマートフォンの裏面の少なくとも一部を覆う第１の部分を有するカバーである。このカバーの第１の部分は、板バネを内蔵し、キャラクタが描かれているキャラクタ部と、板バネの作用によりキャラクタ部が出没する開口であって、キャラクタ部が入った状態で、キャラクタ部の外縁と開口の内縁との間に少なくとも０．５ｍｍの隙間が形成される開口を含む周辺部とを含む。キャラクタ部の外縁と開口の内縁との間の隙間は、１ｍｍ以上であることが望ましく、２ｍｍ以上であることがさらに望ましい。また、隙間は１０ｍｍ以下であることが望ましく、５ｍｍ以下であることがさらに望ましく、３ｍｍ以下であることがさらに好ましく、２．５ｍｍ以下であることがいっそう好ましい。
【０００６】
このカバーはスマートフォン用の保護カバーであり、マンガなどのキャラクタがデザインされたキャラクタ部が、板バネを操作することにより周辺部の開口を出入りする。この開口の内縁とキャラクタ部の外縁との間に０．５ｍｍ以上の隙間が形成されている。したがって、キャラクタ部がスムーズに動くとともに、出入りするキャラクタ部に存在感を持たせるために、周辺部よりもキャラクタ部の少なくとも一部の厚みをある程度厚くしても、キャラクタ部が開口の内縁に接触したり、干渉したりすることを防止できる。このため、存在感のあるキャラクタ部を開口内に配置でき、キャラクタ部が開口に出入りする動きを楽しむことができる。さらに、開口とキャラクタ部との間に適当な隙間を形成することにより、キャラクタ部が開口に入った状態で、スマートフォンの裏面がこの隙間から見える。したがって、カバーの周辺部に対してキャラクタ部が浮き出る効果が得られる。また、ユーザーが気に入っているスマートフォンの外観の色あるいは模様を、カバーを通して見せることが可能となり、同じデザインのカバーであってもスマートフォンとの組み合わせでユーザー独自のスマートフォンであることを演出できる。
【０００７】
さらに、隙間を設けることにより、キャラクタ部の外縁を、複雑な形状、例えば、デザインされたキャラクタに沿った形状とし、開口の内縁を、キャラクタ部の外縁に沿った形状としても、キャラクタ部の外縁と開口の内縁との干渉を抑制できる。このため、外周（外縁）が様々なデザインのキャラクタ部が開口に対し出入りするカバーを提供できる。キャラクタ部をキャラクタの形状とすることにより、キャラクタの動きをいっそう楽しむことができる。さらに、キャラクタ部を収納する開口の形状を、キャラクタ部に沿った形状とすることにより、キャラクタ部の外縁と開口の内縁との隙間をスマートフォンが見えるシルエットとしてデザインに取り入れることができ、キャラクタ部が飛び出した後の開口のシルエットを楽しむこともできる。
【０００８】
キャラクタ部は、当該カバーの長手方向に長い形状で、長手方向のほぼ中央で周辺部と接続されており、キャラクタ部が、板バネが伸びて当該キャラクタ部が周辺部と一体になった第１の状態と、板バネがＵ字型に変形して当該キャラクタ部が周辺部から外側に飛び出した第２の状態とに動くことが好ましい。板バネが伸びた第１の状態から、キャラクタ部を操作して板バネがＵ字型（Ｃ字型、円弧状）に変形する第２の状態にしたり、逆に第２の状態から第１の状態へと操作することにより、キャラクタ部の一部がカバーから飛び出したり、収納されたりするため、キャラクタ部の動きを楽しむことができる。
【０００９】
さらに、キャラクタ部が出た状態を、当該カバーが取付けられたスマートフォンを支持するスタンドとして利用することもできる。キャラクタ部をスタンドとして使用しないときは、キャラクタ部を開口に入れる（収納する）ことにより、スタンドとして機能するキャラクタ部がスマートフォンの取り扱い等の邪魔になり難く、さらにスマートフォンを支持するスタンドをカバーと一体として携帯できる。
【００１０】
キャラクタ部は、デザインされたキャラクタに沿った形状であり、開口は、キャラクタに沿った形状であってもよい。
【図面の簡単な説明】
【００１１】
【図１】スマートフォンに取り付けられたカバーを示す平面図であり、図１（ａ）はスマートフォンの表面側から見た図、図１（ｂ）は裏面側から見た図。
【図２】カバーのキャラクタ部の状態を示す斜視図であり、図２（ａ）はキャラクタ部の第１の状態を示す図、図２（ｂ）はキャラクタ部の第２の状態を示す図。
【図３】カバーの第２の状態をスタンドとして利用している様子を示す斜視図。
【図４】カバーの概略構成を展開して示す斜視図。
【考案を実施するための形態】
【００１２】
図１に、スマートフォンに取り付けられたカバーを平面図により示している。図１（ａ）は、スマートフォンの表面側から見た様子を示し、図１（ｂ）は、裏面側から見た様子を示している。このカバーは、スマートフォン（スマホ）１、たとえばアップル社製のスマートフォン（登録商標「ｉＰｈｏｎｅ」）の裏面３および側面４を覆うように取り付けられるスマートフォン１の保護用のカバー（ケース）１０である。カバー１０が取り付けられるスマートフォン１は、アップル社製のスマートフォンに限られない。
【００１３】
カバー１０は、スマートフォン１の裏面３を覆う底壁１２と、スマートフォン１の側面４を覆う周壁１３とを含む第１の部分（カバー本体部）１１を有する。第１の部分１１は、板バネ２１を内蔵し、キャラクタ２３が描かれているキャラクタ部２０と、板バネ２１の作用によりキャラクタ部２０が出没（出入り）する開口１５を含む周辺部１４とを含む。キャラクタ部２０および周辺部１４は、第１の部分１１の底壁１２に形成されている。
【００１４】
開口１５は、キャラクタ部２０が入った状態（開口１５に収納された状態）において、キャラクタ部２０の外縁２６と開口１５の内縁１８との間に少なくとも０．５ｍｍの隙間１９が形成されるように構成されている。隙間１９は、１ｍｍ以上であることが望ましく、２ｍｍ以上であることがさらに望ましい。隙間１９が狭すぎると、開口１５を出入りするキャラクタ部２０が、開口１５の内縁１８に引っかかったりすることがある。また、隙間１９は１０ｍｍ以下であることが望ましく、５ｍｍ以下であることがさらに望ましく、３ｍｍ以下であることがさらに好ましく、２．５ｍｍ以下であることがいっそう好ましい。キャラクタ部２０の外縁２６は、デザインされたキャラクタ２３に沿った形状であり、開口１５の内縁１８は、キャラクタ部２０の外縁２６に沿った形状に形成されている。
【００１５】
図２に、カバー１０のキャラクタ部２０の状態をカバー１０の側（スマートフォンの裏面３側）から見た斜視図により示している。図２（ａ）は、キャラクタ部２０の第１の状態Ｃ１を示し、図２（ｂ）は、キャラクタ部２０の第２の状態Ｃ２を示している。キャラクタ部２０は、カバー１０の長手方向に長い形状で、長手方向のほぼ中央で周辺部１４と、接続部２４を介して接続されており、板バネ２１が伸びてキャラクタ部２０が周辺部１４と一体になった第１の状態Ｃ１（図２（ａ））と、第１の状態Ｃ１からキャラクタ部２０を操作することにより、板バネ２１がＵ字型（Ｃ字型、円弧状）に変形してキャラクタ部２０が周辺部１４から外側に飛び出した第２の状態Ｃ２（図２（ｂ））とに動く。
【００１６】
板バネ２１を伸ばした第１の状態Ｃ１では、キャラクタ部２０は、キャラクタ部２０のキャラクタ２３のデザインに沿って形成された周辺部１４の開口１５に収納されており、周辺部１４と一体となって見える。キャラクタ部２０が周辺部１４に収納された第１の状態Ｃ１から、キャラクタ部２０を操作、たとえば、板バネ２１の中心付近を押込んだり、板バネ２１の上下２８および２９の端部付近を持ち上げたりすることにより、板バネ２１がＵ字型に変形して第２の状態Ｃ２となり、スマートフォン１の長辺方向に沿ったキャラクタ部２０の上下（両端）２８および２９が周辺部１４から飛び出す。
【００１７】
図３に、カバー１０をスタンドとして利用している様子をカバー１０の側から見た斜視図により示している。Ｕ字型に飛び出したキャラクタ部２０の上下の両端部２８および２９がテーブル９の上などに接するようにスマートフォン１を置くことにより、スマートフォン１を斜めに傾けて配置できる。したがって、飛び出したキャラクタ部２０を、スマートフォン１を支持するスタンドとして利用できる。このため、このカバー１０は、スマートフォンスタンド（スマホスタンド、スマホ立て）と呼ぶこともできる。
【００１８】
図４に、カバー１０の概略構成を展開して斜視図により示している。図４においては、カバー１０を裏側（スマートフォンの表面２側）から見た状態を示している。スマートフォン１の裏面３を覆う第１の部分１１は、板バネ２１を内蔵したキャラクタ部２０と、板バネ２１の作用によりキャラクタ部２０が出没（出入り）する開口１５を含む周辺部１４とを含み、シリコン樹脂（シリコンゴム）で成形されている。周辺部１４は、スマートフォンの底壁１２の中央付近に形成され、キャラクタ部２０の外縁２６に沿った形状の内縁１８を含む開口（開口部）１５と、開口部１５からつながる一対の段差部１６とを含む。開口１５は、キャラクタ部２０が入った状態（第１の状態Ｃ１）で外縁２６と開口１５の内縁１８との間に少なくとも０．５ｍｍの隙間１９が形成されるようにデザインされている。
【００１９】
キャラクタ部２０は、アニメ、マンガ、ゲームなどのキャラクタ２３のデザインに形成され、スマートフォン１の長手方向に長い形状のキャラクタ部分２２と、キャラクタ部分２２の外周に沿って形成された外縁２６と、キャラクタ部分２２に内蔵され、スマートフォン１の長辺方向に延びる板バネ２１と、キャラクタ部分２２のほぼ中央から左右（スマートフォン１の短辺方向）に羽根のように延びてキャラクタ部分２２を周辺部１４の一対の段差部１６に接続する一対の接続部２４とを含む。キャラクタ部２０は、周辺部１４に比較して固めに硬度調整されたシリコン樹脂により、厚みが２〜４ｍｍとなるように、一体成型されている。キャラクタ部２０の厚みを部分的に厚くして、キャラクタ２３が強調されるようにしてもよい。キャラクタ部分２２の表面には、キャラクタ２３が印刷や、顔料を添加したシリコン樹脂による一体成形等の方法により描かれ（表示され、成形され）ており、キャラクタ部分２２の外周に沿って形成された外縁２６によりキャラクタ２３のデザインが強調されている。
【００２０】
板バネ２１は、断面が緩やかに外向きに湾曲した帯状であって、キャラクタ部２０をシリコン樹脂でキャラクタ２３の形状に成型する際に、キャラクタ部分２２の内部に埋め込まれるようにしてキャラクタ部２０に内蔵されている。キャラクタ部分２２は、表裏で板バネ２１を挟み込むように貼り合わせて、板バネ２１を内蔵させる構成としてもよいが、キャラクタ部分２２を一体成形することにより、第１の状態Ｃ１と第２の状態Ｃ２とを動くキャラクタ部２０の耐久性を向上できる。板バネ２１が伸びた第１の状態Ｃ１では、板バネ２１は外側に緩やかに湾曲しているので、キャラクタ部分２２の少なくとも一部は、周辺部１４からわずかに突き出ており、第１の状態Ｃ１においてもキャラクタ部２０が目を引くデザインとなっている。
【００２１】
カバー１０を組み立てる際は、キャラクタ部２０の一対の接続部２４を周辺部１４の一対の段差部１６に嵌め込むようにして、一対の接続部２４と一対の段差部１６とを接着剤等で固定する。段差部１６には突起１７が形成されており、接続部２４に形成された孔２５を、突起１７に嵌め込むことにより、周辺部１４とキャラクタ部２０とを強固に固定できる。さらに、突起１７と孔２５とを利用することにより、キャラクタ部２０の外縁２６を周辺部１４の開口１５の内縁１８との間に所定の隙間を空けて収納することができる。キャラクタ部２０は、板バネ２１の作用によりスムーズに動くとともに、開口１５に対して出入りするキャラクタ部２０の存在感をアピールできるように、厚みが２〜４ｍｍ程度になるように形成されている。キャラクタ部２０に厚みがあると、開口１５を出入りする際に、開口１５の内縁１８と接触したり、内縁１８に引っかかったりすることがある。
【００２２】
これに対し、このカバー１０においては、周辺部１４の開口１５には、キャラクタ部２０が入った状態（第１の状態Ｃ１）で内縁１８とキャラクタ部２０の外縁２６との間に０．５ｍｍ以上の隙間１９を形成している。このため、存在感のあるキャラクタ部２０を開口１５内に配置でき、キャラクタ部２０は開口１５内を、開口１５の内縁１８と干渉することなく、スムーズに出没（出入り）でき、キャラクタ部２０の動きを楽しむことができる。さらに、隙間１９を設けることにより、キャラクタ部２０の外縁２６を、複雑な形状、たとえば、アニメのキャラクタなどのデザインされたキャラクタ２３に沿った形状とし、開口１５の内縁１８をキャラクタ部２０の外縁２６に沿った形状としても、キャラクタ部２０の外縁２６と開口１５の内縁１８との干渉を抑制できる。このため、外縁（外周）２６が様々な形状にデザインされたキャラクタ部２０が、開口１５に対して出入りするカバー１０を提供できる。また、キャラクタ部２０の硬度を周辺部１４の硬度より固めになるように構成しているため、キャラクタ部２０が周辺部１４とさらに干渉しにくく、キャラクタ部２０のいっそうスムーズな動きを楽しむことができる。
【００２３】
図２（ａ）に示したように、板バネ２１を伸ばした第１の状態Ｃ１では、キャラクタ部２０が周辺部１４の開口１５に収納されているので、スマートフォン１を操作したり、持ち運んだりする際に、キャラクタ部２０が邪魔になり難く、操作性および携帯性のよいカバー１０を提供できる。さらに、キャラクタ部２０に厚みがあってもカバー１０としてはそれほど厚くなることもなく、スマートフォンの取り使いの邪魔になりにくい。また、開口１５の内縁１８とキャラクタ部２０の外縁２６とに適当な間隔の隙間１９を形成しているため、スマートフォン１の裏面３の一部がこの隙間１９から見える。このため、カバー１０の周辺部１４に対してキャラクタ部２０が浮き出る効果が得られる。また、ユーザーが気に入っているスマートフォン１の外観の色あるいは模様を、カバー１０の隙間１９を通して見せることが可能となり、同じデザインのカバー１０であっても、スマートフォン１との組合せでユーザー独自のスマートフォン１であることを演出できる。
【００２４】
一方、図２（ｂ）に示したように、第２の状態Ｃ２においては、キャラクタ２３がお辞儀をしているように見せたり、キックをしているように操ったり、さらに変顔、変な体勢にしたりして遊んだり、友達などとコミュニケーションしたりして、キャラクタ部２０の動き楽しむことができる。さらに、キャラクタ部２０がキャラクタ２３の形状に形成されているため、キャラクタ部２０の動きをいっそう立体的に楽しむことができる。
【００２５】
さらに、キャラクタ部２０が開口１５に収納された第１の状態Ｃ１と、開口１５から飛び出した第２の状態Ｃ２とにおいてデザインを鑑賞できるので、１つのカバー１０で両方の状態を楽しむことができる。また、板バネ２１を操作することにより、第１の状態Ｃ１から第２の状態Ｃ２へ、第２の状態Ｃ２から第１の状態Ｃ１へと変形するキャラクタ２３の動きを楽しむことができる。さらに、開口１５の内縁１８の形状がキャラクタ２３の形状に沿って形成されているため、キャラクタ部２０の外縁２６と開口１５の内縁１８との隙間１９をスマートフォン１が見えるシルエットとしてデザインに取り入れることができ、キャラクタ部２０が飛び出した後の開口１５のシルエットを楽しむこともできる。
【００２６】
また、図３に示したように、このカバー１０は、Ｕ字型に外側に飛び出したキャラクタ部２０を、スマートフォン１を支持するスタンドとしても利用できる。スタンドとして使用しない時は、キャラクタ部２０を第１の状態Ｃ１に収納できるため、スマートフォン１用のスタンドをカバー１０とは別に持ち歩いたり、動画等を見るためにスマートフォン１を支持するスタンドを鞄などから取り出したり、探したりする必要がなく、必要な時にいつでもカバー１０をスタンドとして利用できる。キャラクタ部２０はシリコン樹脂で形成されているため、テーブル９の上などで滑り難く、安定してスマートフォン１を支持できる。
【００２７】
さらに、スマートフォン１を把持する手の中指や薬指等を第２の状態Ｃ２のキャラクタ部２０のＵ字型の部分に入れる（差し込む、あてがう）ことにより、キャラクタ部２０を、スマートフォン１を操作する際の指掛けとして利用することもできる。手に対してサイズが大きいスマートフォン１に対しても、片手で安定して操作できる。
【００２８】
以上においては、シリコン樹脂で成形したカバー１０について説明したが、カバー１０はシリコン樹脂以外に、非フタル酸系塩化ビニル（ＡＴＢＣ−ＰＶＣ）、革、布、和紙、他の樹脂などで構成してもよい。また、シリコン樹脂の硬度を部分ごとにさらに調整したり、または全く硬度調整をしなくてもよい。
【００２９】
カバー１０は、スマートフォン１の裏面３および側面４を全て覆う必要はなく、第１の部分１１がスマートフォン１の裏面３の少なくとも一部を覆う構成であれば、たとえば粘着剤などでスマートフォン１の裏面３に貼り付ける構成等であってもよい。さらに、キャラクタ部２０にデザインされるキャラクタ２３は、上記以外にも、人物、ゆるキャラ、動物、植物、乗り物などであってもよい。また、キャラクタ部２０を、周辺部１４に対して着脱可能な構成として、シチュエーションや気分にあわせて着せ替えできるようにしてもよい。
【００３０】
また、一対の接続部２４を、キャラクタ部２０の中央付近に配置せずに、キャラクタ部２０の上下のいずれかにずらしてもよく、さらに、上端２８または下端２９に配置して、Ｊ字型（Ｃ字型）に飛び出したキャラクタ部２０により、スマートフォン１を立てた姿勢で支持する構成であってもよい。さらに、板ばね２１を配置する方向は、スマートフォン１の短辺方向であってもよい。
【００３１】
このカバー１０は、スマートフォン１用の保護カバーとして説明したが、スマートフォン１以外にも、タブレット端末、メディアプレーヤ、手帳、写真ケースなどにも適用できる。
【符号の説明】
【００３２】
１  スマートフォン
１０  カバー、  １１  第１の部分、  １４  周辺部、  １５  開口、  １８  内縁、  １９  隙間
２０  キャラクタ部、  ２１  板バネ、  ２３  キャラクタ、  ２６  外縁
【図１】
0003204703.tif 000003
【図２】
0003204703.tif 000004
【図３】
0003204703.tif 000005
【図４】
0003204703.tif 000006